(57)【要約】【課題】移動端末に割り当てられるアドレスが変更されても、構内網の通信端末から送信されたデータを移動端末へ転送すること。【解決手段】屋内基地局１３０は、自装置を含むＬＡＮ１０１を介して移動体通信網１０２と通信可能な通信エリア１３１を形成する。屋内基地局１３０は、移動体通信網１０２とデータ通信を行うために移動体通信網１０２から通信エリア１３１内の移動端末１４０に割り当てられるＩＰアドレスを監視する。屋内基地局１３０は、移動端末の識別情報と、監視したＩＰアドレスと、の組合せを示す組合せ情報１３２を記憶する。屋内基地局１３０は、識別情報を含むデータをＬＡＮ１０１内のＰＣ１２０から受信する。屋内基地局１３０は、受信したＩＰパケットに格納された識別情報とＩＰパケットの宛先アドレスとの組合せを、記憶した組合せ情報１３２と比較する。【選択図】図１
2010041585.tif 000002
【特許請求の範囲】
【請求項１】
自装置を含む構内網を介して移動体通信網と通信可能な通信エリアを形成する基地局において、
前記移動体通信網とデータ通信を行うために前記移動体通信網から前記通信エリア内の移動端末に割り当てられるアドレスを監視する監視手段と、
前記移動端末の識別情報と、前記監視手段によって監視されるアドレスと、の組合せを示す組合せ情報を記憶する記憶手段と、
前記識別情報を含むデータを前記構内網内の通信端末から受信する受信手段と、
前記受信手段によって受信されたデータに含まれる識別情報と前記データの宛先アドレスとの組合せを、前記記憶手段によって記憶された組合せ情報と比較する比較手段と、
前記比較手段による比較において組合せが一致した場合に、前記受信手段によって受信されたデータを前記移動端末へ送信するとともに、前記比較において組合せが一致しなかった場合にエラー処理を行う送信手段と、
を備えることを特徴とする基地局。
【請求項２】
前記送信手段は、前記エラー処理として、前記組合せ情報において、前記受信されたデータに含まれる識別情報と組み合わされているアドレスを新アドレスとして前記通信端末へ報知することを特徴とする請求項１に記載の基地局。
【請求項３】
前記送信手段は、前記エラー処理として、前記組合せ情報において、前記受信されたデータに含まれる識別情報と組み合わされているアドレスを新アドレスとして前記通信端末へ報知すべき旨の報知指示を前記移動端末へ送信することを特徴とする請求項１に記載の基地局。
【請求項４】
前記比較手段による比較において組合せが一致しなかった場合に、前記組合せ情報において、前記受信されたデータに含まれる識別情報と組み合わされているアドレスとなるように前記データの宛先を変換する変換手段を備え、
前記送信手段は、前記エラー処理として、前記変換手段によって宛先を変換されたデータを前記移動端末へ送信することを特徴とする請求項１に記載の基地局。
【請求項５】
前記データを受信する前に、移動端末に対する前記通信端末からの通信経路確立要求を受信する要求受信手段と、
前記要求受信手段によって受信された通信経路確立要求に基づいて前記通信端末と前記移動端末の間のＴＣＰ接続を終端し、前記通信端末との間にＴＣＰコネクションを確立する終端手段と、を備え、
前記受信手段は、前記終端手段によってＴＣＰコネクションが確立された結果前記通信端末から送信されたデータを受信することを特徴とする請求項１に記載の基地局。
【請求項６】
自装置を含む構内網を介して移動体通信網と通信可能な通信エリアを形成する基地局のデータ転送方法において、
前記移動体通信網とデータ通信を行うために前記移動体通信網から前記通信エリア内の移動端末に割り当てられるアドレスを監視する監視工程と、
前記移動端末の識別情報と、前記監視工程によって監視されるアドレスと、の組合せを示す組合せ情報を記憶する記憶工程と、
前記識別情報が含まれるデータを前記構内網内の通信端末から受信する受信工程と、
前記受信工程によって受信されたデータに含まれる識別情報と前記データの宛先アドレスとの組合せを、前記記憶工程によって記憶された組合せ情報と比較する比較工程と、
前記比較工程による比較において組合せが一致した場合に、前記受信工程によって受信されたデータを前記移動端末へ送信するとともに、前記比較において組合せが一致しなかった場合にエラー処理を行う送信工程と、
を含むことを特徴とするデータ転送方法。
【発明の詳細な説明】
【技術分野】
【０００１】
この発明は、無線通信を行う基地局およびデータ転送方法に関する。
【背景技術】
【０００２】
近年、フェムトセルと呼ばれる小型基地局による携帯電話サービスエリアの提供が考えられている。このフェムトセルは、一般に、携帯電話事業者に設置されたフェムトセル用のゲートウェイ（ＦＧＷ：Ｆｅｍｔｏｃｅｌｌ  ＧａｔｅＷａｙ）とフェムトセル用の小型基地局（ｆｅｍｔｏＡＰ：ｆｅｍｔｏｃｅｌｌ  Ａｃｃｅｓｓ  Ｐｏｉｎｔ）とを、ＡＤＳＬやＦＴＴＨなどのＩＰブロードバンド回線を用いて接続する。
【０００３】
フェムトセルサービスにおいては、マクロセルよりも良好な電波受信環境の提供と、それに伴う高速データ通信環境の提供、あるいは周波数の特定ユーザの独占を許容することによる周波数利用効率の向上などの効果とともに、携帯電話事業者によるさらなる低額の定額制サービスの提供など、様々なサービスの提供が検討されている。
【０００４】
ブロードバンド回線が敷設されている環境であれば、ｆｅｍｔｏＡＰを接続するだけで容易にこのフェムトセルサービスを享受することが可能となる。また、ｆｅｍｔｏＡＰはサービスを享受するユーザ宅内に設置される。このため、携帯電話事業者の管理制限を緩和し、ユーザが自由に場所の移動や電源ＯＮ／ＯＦＦができるように、携帯電話事業における規制が緩和されると予想されている。
【０００５】
このフェムトセルサービスは、上記のような利点に伴うサービスの提供の他に、情報端末家電との通信連携を実現する可能性を持っている。たとえば、通常、ＰＣ（Ｐｅｒｓｏｎａｌ  Ｃｏｍｐｕｔｅｒ）と携帯電話との通信は、メモリーカードや専用の通信ケーブルとソフトウェアを媒体として実現されている。しかし、ユーザにとっては、メモリーカードや通信ケーブルを抜き差ししたりする操作は非常に面倒である。
【０００６】
携帯電話は平均すると２年程度での買い替えが行われているが、携帯電話にダウンロードしたファイルを新規購入の携帯電話に転送するためには、古い携帯電話のファイルを自宅のＰＣに格納することとなる。これに対して、携帯電話とＰＣとの通信をより簡易にすることが特許文献１で開示されている。
【０００７】
携帯電話とＰＣとの通信の一般的な手法としては、ＷｉＦｉ（無線ＬＡＮ）が考えられ、事実ＷｉＦｉを搭載した３ＧＰＰ方式の移動端末も存在するが、このデュアル端末は消費電力問題や価格問題がある。フェムトセルは、これを解決するものとして、サポートする無線方式が移動通信の無線方式（たとえば３ＧＰＰ）のみである。
【０００８】
【特許文献１】特開２００７−２８２２５５号公報
【発明の開示】
【発明が解決しようとする課題】
【０００９】
しかしながら、フェムトセルサービスでは、移動体通信網と移動端末との家庭内における通信を、家庭内に設置したｆｅｍｔｏＡＰを介することで実現することを想定しており、家庭内におけるＰＣと移動端末との通信は基本的には想定していない。このため、家庭内でＰＣから移動端末へパケットを送信することが困難であるという問題がある。
【００１０】
この問題について具体的に説明する。通常のフェムトセルサービスでは、移動端末に対してデータ通信要求を行うたびに、移動体通信網から移動端末に移動網用アドレスを払い出す。そして、移動通信でのＩＰアドレスは、通常、リソース制約のために通信終了後には解放される。このため、家庭内でＰＣから移動端末へパケットを送信しようとしても、そのときに移動端末に割り当てられている移動網用アドレスをＰＣ側で取得できない。
【００１１】
また、移動端末からＰＣへパケットを送信すれば、ＰＣは移動端末の移動網用アドレスを取得することができるが、その後に移動端末の移動網用アドレスが変更された場合には、ＰＣは誤った宛先でパケットを送信することになり、パケットを正しく移動端末へ伝送することができない。このように、移動端末の移動網用アドレスが変更されるとＰＣと移動端末との通信が困難になる。
【００１２】
このため、たとえば、構内網に形成されるＵＰｎＰネットワークに対する移動端末のプラグアンドプレイを実現することが困難になる。また、移動端末の着信の場合には、移動端末を呼び出してＩＰアドレスを割り当てるため、発信側が保持しているＩＰアドレスがＵＰｎＰで記憶しているＩＰアドレスでないと問題が生じる。
【００１３】
開示の基地局およびデータ転送方法は、上述した問題点を解消するものであり、移動端末に割り当てられるアドレスが変更されても、構内網の通信端末から送信されたデータを移動端末へ転送することを目的とする。
【課題を解決するための手段】
【００１４】
上述した課題を解決し、目的を達成するため、この基地局は、自装置を含む構内網を介して移動体通信網と通信可能な通信エリアを形成する基地局において、前記移動体通信網とデータ通信を行うために前記移動体通信網から前記通信エリア内の移動端末に割り当てられるアドレスを監視する監視手段と、前記移動端末の識別情報と、前記監視手段によって監視されるアドレスと、の組合せを示す組合せ情報を記憶する記憶手段と、前記識別情報を含むデータを前記構内網内の通信端末から受信する受信手段と、前記受信手段によって受信されたデータに含まれる識別情報と前記データの宛先アドレスとの組合せを、前記記憶手段によって記憶された組合せ情報と比較する比較手段と、前記比較手段による比較において組合せが一致した場合に、前記受信手段によって受信されたデータを前記移動端末へ送信するとともに、前記比較において組合せが一致しなかった場合にエラー処理を行う送信手段と、を備えることを要件とする。
【００１５】
上記構成によれば、監視した移動端末のアドレスと移動端末の識別情報との組合せ情報を記憶しておき、通信端末から送信されたデータの宛先アドレスとデータに含まれる識別情報との組合せを組合せ情報と比較することで、データの宛先アドレスの誤りを検出することができる。
【発明の効果】
【００１６】
開示の基地局およびデータ転送方法によれば、移動端末に割り当てられるアドレスが変更されても、構内網の通信端末から送信されたデータを移動端末へ転送することができるという効果を奏する。
【発明を実施するための最良の形態】
【００１７】
以下に添付図面を参照して、この基地局およびデータ転送方法の好適な実施の形態を詳細に説明する。
【００１８】
（実施の形態１）
図１は、実施の形態１にかかる通信システムの機能的構成を示すブロック図である。図１に示すように、実施の形態１にかかる通信システム１００は、ＬＡＮ１０１と、移動体通信網１０２と、を含んでいる。ＬＡＮ１０１（Ｌｏｃａｌ  Ａｒｅａ  Ｎｅｔｗｏｒｋ：構内網）には、ＢＢルータ１１０と、屋内基地局１３０と、移動端末１４０と、ＰＣ１２０と、が含まれている。
【００１９】
移動体通信網１０２は、ＬＡＮ１０１のＢＢルータ１１０と接続されている。移動体通信網１０２には、フェムトセル用のゲートウェイ（ＦＧＷ）が設けられている。移動体通信網１０２のゲートウェイは、移動体通信網１０２におけるデータ通信を管理する機能を有している。具体的には、移動体通信網１０２のゲートウェイは、移動体通信網１０２におけるデータ通信で用いる移動網用アドレスの払出などを行う機能を有している。
【００２０】
ＢＢルータ１１０は、移動体通信網１０２と接続されている。また、ＢＢルータ１１０には、屋内基地局１３０およびＰＣ１２０が接続されている。ＢＢルータ１１０と屋内基地局１３０の接続およびＢＢルータ１１０とＰＣ１２０の接続のそれぞれは、Ｅｔｈｅｒｎｅｔ（登録商標）などの有線接続でもよいし、ＩＥＥＥ８０２．１１などの無線接続であってもよい。また、屋内基地局１３０はＢＢルータ１１０に内蔵されていてもよい。
【００２１】
ＰＣ１２０は、通信機能を備える通信端末である。ＰＣ１２０は、移動端末１４０のＩＰアドレス（Ａ）と、移動端末１４０のＵＵＩＤ（Ｕｎｉｖｅｒｓａｌｌｙ  Ｕｎｉｑｕｅ  Ｉｄｅｎｔｉｆｉｅｒ）（Ｂ）と、を記憶している。ＵＵＩＤは、少なくとも移動端末１４０がＵＰｎＰネットワークに接続している間は、変更されることなく移動端末１４０に割り当てられる識別情報である。
【００２２】
ＰＣ１２０は、ＩＰアドレス（Ａ）およびＵＵＩＤ（Ｂ）を用いて移動端末１４０と通信を行う。ＰＣ１２０は、ＩＰアドレス（Ａ）を宛先とし、ＵＵＩＤ（Ｂ）を格納したＩＰパケットをＢＢルータ１１０へ送信する。ＢＢルータ１１０は、ＬＡＮ１０１内で行われる通信や、ＬＡＮ１０１内のＰＣ１２０または屋内基地局１３０と移動体通信網１０２との間で行われる通信を中継する。
【００２３】
たとえば、ＢＢルータ１１０は、移動端末１４０を宛先としてＰＣ１２０から送信されたＩＰパケットの宛先アドレスをチェックする。ＢＢルータ１１０は、ＩＰパケットの宛先となっているＩＰアドレスが有効である場合は、ＰＣ１２０から送信されたパケットを屋内基地局１３０へ転送する。
【００２４】
屋内基地局１３０は、フェムトセルのアクセスポイント（ｆｅｍｔｏＡＰ）である。屋内基地局１３０は、自装置の周囲に電波を発することによって通信エリア１３１（フェムトセル）を形成する。通信エリア１３１内の移動端末１４０は、ＬＡＮ１０１を介して移動体通信網１０２と通信可能になる。屋内基地局１３０と移動端末１４０は、Ｗ−ＣＤＭＡ（Ｗｉｄｅｂａｎｄ  Ｃｏｄｅ  Ｄｉｖｉｓｉｏｎ  Ｍｕｌｔｉｐｌｅ  Ａｃｃｅｓｓ）などの無線インターフェイスによって接続される。
【００２５】
ＰＣ１２０と移動端末１４０は、屋内基地局１３０を介してＩＰネットワークとして互いに通信を行うことができる。ＢＢルータ１１０、ＰＣ１２０および屋内基地局１３０は、ＵＰｎＰ（Ｕｎｉｖｅｒｓａｌ  Ｐｌｕｇ  ａｎｄ  Ｐｌａｙ）に対応している。なお、移動端末１４０は、ＵＰｎＰに対応していなくてもよい。
【００２６】
屋内基地局１３０は、移動端末１４０が移動体通信網１０２とデータ通信を行うために移動体通信網１０２のゲートウェイから移動端末１４０に割り当てられるＩＰアドレスを監視している。このため、屋内基地局１３０は、移動端末１４０のＩＰアドレスが変更されても、移動端末１４０の最新のＩＰアドレスを常に保持している。
【００２７】
また、屋内基地局１３０は、移動端末１４０のＵＵＩＤを取得する。屋内基地局１３０は、取得したＵＵＩＤと、監視している移動端末１４０のＩＰアドレスと、の組合せを示す組合せ情報１３２を記憶している。ここでは、屋内基地局１３０は、移動端末１４０のＩＭＳＩ（Ｉｎｔｅｒｎａｔｉｏｎａｌ  Ｍｏｂｉｌｅ  Ｓｕｂｓｃｒｉｂｅｒ  Ｉｄｅｎｔｉｔｙ：加入者識別子）も取得し、移動端末１４０のＩＰアドレスおよびＵＵＩＤとともに組み合わせて組合せ情報１３２として記憶している。
【００２８】
また、屋内基地局１３０は、ＰＣ１２０から送信され、ＢＢルータ１１０によって転送されたＩＰパケットを受信する。受信したＩＰパケットには、移動端末１４０の識別情報であるＵＵＩＤが格納されている。屋内基地局１３０は、受信したＩＰパケットに格納されたＵＵＩＤとＩＰパケットの宛先アドレスとの組合せを組合せ情報１３２と比較する。
【００２９】
屋内基地局１３０は、比較した各組合せが一致した場合に、受信したＩＰパケットを移動端末１４０へ送信する。これにより、ＰＣ１２０が移動端末１４０の正しいＩＰアドレスを宛先としてＩＰパケットを送信した場合は、屋内基地局１３０によってこのＩＰパケットを移動端末１４０へ転送することができる。
【００３０】
一方、屋内基地局１３０は、比較した各組合せが一致しなかった場合にはエラー処理を行う。屋内基地局１３０は、エラー処理として、受信したＩＰパケットの宛先となっているＩＰアドレスが無効である旨をＰＣ１２０へ報知する（ＢＢルータ１１０経由）。これに対して、ＰＣ１２０は、移動端末１４０へのＩＰパケットの送信を停止する。この場合は、たとえば、ＰＣ１２０は、ＩＰアドレスが無効である旨をユーザに対して表示する。
【００３１】
または、屋内基地局１３０は、エラー処理として、受信したＩＰパケットと同内容であり、組合せ情報１３２において、受信したＩＰパケットに格納された移動端末１４０のＵＵＩＤと組み合わされているＩＰアドレスを宛先としたＩＰパケットを移動端末１４０へ送信するための制御を行う。これにより、ＰＣ１２０が誤ったＩＰアドレスを宛先としてＩＰパケットを送信した場合は、屋内基地局１３０によって、移動端末１４０の最新のＩＰアドレスを宛先としたＩＰパケットを移動端末１４０へ転送することができる。
【００３２】
たとえば、屋内基地局１３０は、エラー処理として、組合せ情報１３２において、受信したＩＰパケットに格納された移動端末１４０のＵＵＩＤと組み合わされているＩＰアドレスを新アドレスとしてＰＣ１２０へ報知する（ＢＢルータ１１０経由）。この報知は、たとえばＧＥＮＡ（Ｇｅｎｅｒｉｃ  Ｅｖｅｎｔ  Ｎｏｔｉｆｉｃａｔｉｏｎ  Ａｒｃｈｉｔｅｃｔｕｒｅ）を用いて行われる。
【００３３】
これに対して、ＰＣ１２０は、屋内基地局１３０から報知された新アドレスを移動端末１４０のＩＰアドレスとして新たに記憶し、新たに記憶したＩＰアドレスを宛先としてＩＰパケットを再送する。屋内基地局１３０は、ＰＣ１２０から再送されたＩＰパケットを移動端末１４０へ転送する。これにより、正しいＩＰアドレスを宛先としたＰＣ１２０からのＩＰパケットを移動端末１４０へ転送することができる。
【００３４】
または、屋内基地局１３０は、エラー処理として、組合せ情報１３２において、受信したＩＰパケットに格納された移動端末１４０のＵＵＩＤと組み合わされているＩＰアドレスを新アドレスとしてＰＣ１２０へ報知すべき旨の報知指示を移動端末１４０へ送信する。この報知指示は、たとえばＧＥＮＡやＳＯＡＰ（Ｓｉｍｐｌｅ  Ｏｂｊｅｃｔ  Ａｃｃｅｓｓ  Ｐｒｏｔｏｃｏｌ）によって送信される。
【００３５】
これに対して、移動端末１４０は、自装置に割り当てられている最新のＩＰアドレスをＰＣ１２０へ報知する。移動端末１４０による報知は、たとえば、ＢＢルータ１１０、ＰＣ１２０および屋内基地局１３０からなるＵＰｎＰネットワークに対して、ＳＳＤＰ（Ｓｉｍｐｌｅ  Ｓｅｒｖｉｃｅ  Ｄｉｓｃｏｖｅｒｙ  Ｐｒｏｔｏｃｏｌ）を用いて状態変更通知を報知することによって行われる。
【００３６】
これに対して、ＰＣ１２０は、屋内基地局１３０から報知された新アドレスを移動端末１４０のＩＰアドレスとして新たに記憶し、新たに記憶したＩＰアドレスを宛先としてＩＰパケットを再送する。屋内基地局１３０は、ＰＣ１２０から再送されたＩＰパケットを移動端末１４０へ転送する。これにより、正しいＩＰアドレスを宛先としたＰＣ１２０からのＩＰパケットを移動端末１４０へ転送することができる。
【００３７】
また、たとえば、屋内基地局１３０は、エラー処理として、組合せ情報１３２において、受信したＩＰパケットに格納された移動端末１４０のＵＵＩＤと組み合わされているＩＰアドレスとなるように、受信したＩＰパケットの宛先を変換する。屋内基地局１３０は、宛先を変換したＩＰパケットを移動端末１４０へ送信する。これにより、正しいＩＰアドレスを宛先としたＩＰパケットを移動端末１４０へ転送することができる。
【００３８】
屋内基地局１３０は、移動端末１４０と通信を行うときに、移動端末１４０が通信可能でない状態（待ち受け状態など）である場合は、移動端末１４０のＩＭＳＩを用いて移動端末１４０に対するページングを行い、移動端末１４０を通信可能な状態に遷移させる。これにより、屋内基地局１３０と移動端末１４０の通信経路を確立することができる。
【００３９】
移動端末１４０は、屋内基地局１３０の通信エリア１３１に移動したときに位置登録を行う。具体的には、移動端末１４０は、位置登録要求を屋内基地局１３０へ送信する。移動端末１４０から送信された位置登録要求は、屋内基地局１３０およびＢＢルータ１１０を経由して移動体通信網１０２のゲートウェイによって受信される。移動体通信網１０２のゲートウェイは、位置登録要求を受信すると、移動端末１４０の位置登録を行うとともに、ＩＰアドレス（移動網用アドレス）を払い出して移動端末１４０へ送信する。
【００４０】
移動網用アドレスは、移動端末１４０が移動体通信網１０２との間でパケット通信を行うために移動端末１４０に割り当てられるＩＰアドレスである。移動体通信網１０２のゲートウェイから送信されたＩＰアドレスは、ＢＢルータ１１０および屋内基地局１３０を経由して移動端末１４０によって受信される。移動端末１４０は、受信した移動網用アドレスを自装置のＩＰアドレスとして移動体通信網１０２との間でパケット通信を行う。
【００４１】
移動端末１４０は、移動体通信網１０２から取得したＩＰアドレスを、通信エリア１３１から離脱するまで保持する。なお、通信システム１００の基本構成については、３ＧＰＰ  ＴＲ  Ｒ３．０２０  Ｖ０．７．０（２００８−０５）のＦｉｇｕｒｅ  ６．１．２．１−３．Ｄｅｔａｉｌｅｄ  ３Ｇ  ＨＮＢ  Ｓｙｓｔｅｍ  Ａｒｃｈｉｔｅｃｔｕｒｅ．に記載された構成などを採用できる。このＦｉｇｕｒｅ  ６．１．２．１−３．において、ＵＥが移動端末１４０であり、３Ｇ  ＨＮＢが屋内基地局１３０であり、ＨＮＢ−ＧＷが移動体通信網１０２のゲートウェイである。
【００４２】
図２は、図１に示した屋内基地局の機能的構成を示すブロック図である。図２に示すように、実施の形態１にかかる屋内基地局１３０は、送受信部２１１と、データ終端部２１３と、移動端末制御部２１２と、記憶部２１４と、比較部２１５と、を備えている。これらの各構成は、図示しない制御部によって制御される。
【００４３】
送受信部２１１は、ＢＢルータ１１０および移動端末１４０との間で通信を行う通信インターフェイスである。送受信部２１１は、ＢＢルータ１１０と接続されており、ＢＢルータ１１０と通信を行う。また、送受信部２１１は、周囲に電波を発することによって通信エリア１３１を形成し、無線によって移動端末１４０と通信を行う。
【００４４】
移動端末制御部２１２は、送受信部２１１を介して通信エリア１３１内の各移動端末（移動端末１４０など）を制御する。たとえば、移動端末制御部２１２は、送受信部２１１を介して移動端末１４０に対するページングを行う。また、移動端末制御部２１２は、移動体通信網１０２から移動端末１４０に割り当てられるＩＰアドレスを監視する監視手段である。移動端末制御部２１２は、監視したＩＰアドレスを記憶部２１４に記憶させる。
【００４５】
たとえば、移動端末制御部２１２は、移動体通信網１０２から送信され、送受信部２１１によって移動端末１４０へ転送されるＩＰアドレスを傍受することで、移動体通信網１０２から移動端末１４０に割り当てられるＩＰアドレスを監視する。または、移動体通信網１０２は、移動端末１４０に割り当てるＩＰアドレスを移動端末１４０だけでなく屋内基地局１３０宛にも送信してもよい。
【００４６】
この場合は、移動端末制御部２１２は、移動体通信網１０２から送信されたＩＰアドレスを、送受信部２１１を介して受信することによって、移動端末１４０に割り当てられるＩＰアドレスを監視する。また、移動端末制御部２１２は、送受信部２１１を介して、移動端末１４０のＵＵＩＤおよびＩＭＳＩを取得する。移動端末制御部２１２は、取得したＵＵＩＤおよびＩＭＳＩと、監視している移動端末１４０のＩＰアドレスと、の組合せを示す組合せ情報１３２を記憶部２１４に記憶させる。
【００４７】
データ終端部２１３は、ＰＣ１２０から送信され、ＢＢルータ１１０によって転送されたＩＰパケットを、送受信部２１１を介して受信する。屋内基地局１３０は、受信したＩＰパケットに格納されたＵＵＩＤと、ＩＰパケットの宛先となっているＩＰアドレスと、の組合せを比較部２１５へ出力する。
【００４８】
また、データ終端部２１３は、比較部２１５から比較結果として「一致」が出力されると、ＰＣ１２０から送信され、ＢＢルータ１１０によって転送されたＩＰパケットを、送受信部２１１を介して移動端末１４０へ送信する。また、データ終端部２１３は、比較部２１５から比較結果として「不一致」が出力されると所定のエラー処理を行う。
【００４９】
比較部２１５は、データ終端部２１３から出力された組合せを、記憶部２１４に記憶されている組合せ情報１３２と比較する。比較部２１５は、データ終端部２１３へ比較結果を出力する。移動端末制御部２１２、データ終端部２１３および比較部２１５は、たとえばＣＰＵ（Ｃｅｎｔｒａｌ  Ｐｒｏｃｅｓｓｉｎｇ  Ｕｎｉｔ）によって実現できる。
【００５０】
図３は、図２に示した組合せ情報の一例を示す図である。移動端末制御部２１２は、組合せ情報１３２として、通信エリア１３１内に位置する移動端末ごとに、ＩＰアドレス、ＵＵＩＤおよびＩＭＳＩの組合せを記憶している（組合せ３１１および組合せ３１２）。移動端末制御部２１２は、通信エリア１３１内に位置する移動端末のＩＰアドレスが変更されると、組合せ情報１３２のＩＰアドレスを更新する。
【００５１】
移動端末１４０が自装置のＵＵＩＤを生成可能な場合（たとえば移動端末１４０がＵＰｎＰをサポートする場合）には、屋内基地局１３０は、移動端末１４０がＵＰｎＰネットワークに接続する際に移動端末１４０のＵＵＩＤを取得する。たとえば、屋内基地局１３０は、ＵＰｎＰインターワーキングや、移動端末１４０からのデータを監視することによって移動端末１４０のＵＵＩＤを取得する。
【００５２】
移動端末１４０が自装置のＵＵＩＤを生成可能でない場合には、屋内基地局１３０は、移動端末１４０がＵＰｎＰネットワークに接続する際に、移動端末１４０のＵＵＩＤを自装置で生成する。ＩＭＳＩは、移動端末１４０に固有の識別情報であるため、屋内基地局１３０は、移動端末１４０のＩＭＳＩを移動端末１４０から取得する。
【００５３】
図４は、実施の形態１にかかる通信システムの事前動作を示すシーケンス図である。ここでは、移動端末１４０が、ＢＢルータ１１０、ＰＣ１２０および屋内基地局１３０からなるＵＰｎＰネットワークに過去にアクセスしていることを前提とする。まず、移動端末１４０および屋内基地局１３０が、３ＧＰＰ手順によって互いの通信経路を確立する（ステップＳ４０１）。このとき、移動体通信網１０２からＩＰアドレスＡが払い出され、３ＧＰＰ手順によって移動端末１４０にＩＰアドレスＡが割り当てられる。
【００５４】
つぎに、移動端末１４０が、ＵＰｎＰネットワークへの接続を行う（ステップＳ４０２）。具体的には、移動端末１４０が、ＵＰｎＰネットワークに接続するために、ＵＰｎＰネットワーク上のＢＢルータ１１０、ＰＣ１２０および屋内基地局１３０にＩＰブロードキャストパケットを送信し、移動端末１４０がＵＰｎＰネットワークに接続されたことを通知する。このときに、ＩＰブロードキャストパケットにＤｅｓｃｒｉｐｔｉｏｎ  ＵＲＬ（Ｕｎｉｆｏｒｍ  Ｒｅｓｏｕｒｃｅ  Ｌｏｃａｔｏｒ）を格納しておく。
【００５５】
Ｄｅｓｃｒｉｐｔｉｏｎ  ＵＲＬは、移動端末１４０に関する情報が記憶された装置へアクセスするためのＵＲＬである。つぎに、ＵＰｎＰネットワーク上のＢＢルータ１１０、ＰＣ１２０および屋内基地局１３０が、移動端末１４０に対するＵＰｎＰ接続を行う（ステップＳ４０３）。具体的には、ＢＢルータ１１０、ＰＣ１２０および屋内基地局１３０は、ＩＰブロードキャストパケットに格納されたＤｅｓｃｒｉｐｔｉｏｎ  ＵＲＬへアクセスすることで、移動端末１４０の情報を取得することができる。
【００５６】
ここでは、ＢＢルータ１１０は、移動端末１４０のＩＰアドレスＡを取得する。ＰＣ１２０は、移動端末１４０のＩＰアドレスＡおよびＵＵＩＤを取得する。このとき、ＰＣ１２０は、移動端末１４０の宛先として、取得したＩＰアドレスＡを記憶する。
【００５７】
また、屋内基地局１３０は、移動端末１４０のＩＰアドレスＡ、ＵＵＩＤおよびＩＭＳＩを取得する。このとき、屋内基地局１３０は、組合せ情報１３２を記憶部２１４に記憶する。つぎに、移動端末１４０と屋内基地局１３０は、特に通信がなければ、ステップＳ４０１によって確立された通信経路を削除する（ステップＳ４０４）。つぎに、移動端末１４０が待ち受け状態へ遷移し（ステップＳ４０５）、一連の事前動作を終了する。
【００５８】
図５は、実施の形態１にかかる通信システムの伝送動作（ＵＤＰ、アドレス一致）の一例を示すシーケンス図である。図５においては、ＰＣ１２０が移動端末１４０の宛先として記憶していたＩＰアドレス（ＩＰアドレスＡ）が、移動端末１４０の最新のＩＰアドレス（ＩＰアドレスＡ）と一致している場合について説明する。
【００５９】
また、移動端末１４０は待ち受け状態であるとする（図４のステップＳ４０５参照）。図４に示した事前動作の後、ＰＣ１２０が、移動端末１４０のＩＰアドレスとして記憶していたＩＰアドレスＡを宛先とするＩＰパケットをＵＤＰ（Ｕｓｅｒ  Ｄａｔａｇｒａｍ  Ｐｒｏｔｏｃｏｌ）により送信する（ステップＳ５０１）。
【００６０】
ステップＳ５０１によって送信されたＩＰパケットには移動端末１４０のＵＵＩＤが格納されている。ステップＳ５０１によって送信されたＩＰパケットはＢＢルータ１１０によって受信される。ＢＢルータ１１０は、受信したＩＰパケットの宛先が屋内基地局１３０であると判断し、受信したＩＰパケットを屋内基地局１３０へ送信する。
【００６１】
つぎに、屋内基地局１３０が、ステップＳ５０１によって受信したＩＰパケットの宛先のＩＰアドレスＡおよびこのＩＰパケットに格納されたＵＵＩＤの組合せと、組合せ情報１３２と、を比較する（ステップＳ５０２）。ここでは、各組合せが一致したとする。つぎに、屋内基地局１３０が、移動端末１４０のＩＭＳＩを用いてページングを行うことで、移動端末１４０との間の通信経路を確立する（ステップＳ５０３）。
【００６２】
ステップＳ５０３によるページングは、３ＧＰＰ手順に基づいて行われる。ステップＳ５０３により、ＰＣ１２０および移動端末１４０は互いにＩＰレベルでの通信が可能となる。つぎに、屋内基地局１３０が、ステップＳ５０１によって受信したＩＰパケットをＵＤＰにより移動端末１４０へ送信し（ステップＳ５０４）、一連の伝送動作を終了する。
【００６３】
図６は、実施の形態１にかかる通信システムの伝送動作（ＵＤＰ、アドレス不一致）の例１を示すシーケンス図である。図６においては、ＰＣ１２０が移動端末１４０の宛先として記憶していたＩＰアドレス（ＩＰアドレスＡ）が、移動端末１４０の最新のＩＰアドレス（ＩＰアドレスＢ）と一致していない場合について説明する。ステップＳ６０１，Ｓ６０２は、ステップＳ５０１，Ｓ５０２（図５参照）と同様であるため説明を省略する。
【００６４】
ステップＳ６０２による比較の結果、受信したＩＰパケットの宛先のＩＰアドレスＡおよびこのＩＰパケットに格納されたＵＵＩＤの組合せと、組合せ情報１３２と、が一致しなかったとする。つぎに、屋内基地局１３０が、組合せ情報１３２において、ステップＳ６０１によって受信したＩＰパケットに格納されたＵＵＩＤと組み合わされているＩＰアドレスＢを新アドレスとしてＰＣ１２０へ報知する（ステップＳ６０３）。
【００６５】
ＰＣ１２０は、ステップＳ６０３によって報知されたＩＰアドレスＢを移動端末１４０の宛先として記憶し直す。つぎに、ＰＣ１２０が、ステップＳ６０３によって報知されたＩＰアドレスＢを宛先とするＩＰパケットをＵＤＰにより送信する（ステップＳ６０４）。ステップＳ６０４によって送信されたＩＰパケットは、ＢＢルータ１１０を経由して、屋内基地局１３０によって受信される。
【００６６】
つぎに、屋内基地局１３０が、移動端末１４０のＩＭＳＩを用いてページングを行うことで、移動端末１４０との間の通信経路を確立する（ステップＳ６０５）。つぎに、屋内基地局１３０が、ステップＳ６０４によって受信したＩＰパケットをＵＤＰにより移動端末１４０へ送信し（ステップＳ６０６）、一連の伝送動作を終了する。
【００６７】
このように、ステップＳ６０２による比較の結果、各組合せが一致しなかった場合に、組合せ情報１３２において、受信されたＩＰパケットに格納されたＵＵＩＤと組み合わされているＩＰアドレスを新アドレスとしてＰＣ１２０へ報知する。これにより、ＰＣ１２０は移動端末１４０の最新のＩＰアドレスを取得するとともに、取得したＩＰアドレスによってＩＰパケットを再送することができる。
【００６８】
ＰＣ１２０は、移動端末１４０へＩＰパケットを送信し、ＩＰアドレスが誤っていた場合に自動的に最新のＩＰアドレスを取得することができる。このため、ＰＣ１２０によって移動端末１４０の最新のＩＰアドレスを常に監視する場合と比べて、ＰＣ１２０の処理負担およびＰＣ１２０と屋内基地局１３０の間の通信量を低減することができる。
【００６９】
図７は、実施の形態１にかかる通信システムの伝送動作（ＵＤＰ、アドレス不一致）の例２を示すシーケンス図である。図７においては、ＰＣ１２０が移動端末１４０の宛先として記憶していたＩＰアドレス（ＩＰアドレスＡ）が、移動端末１４０の最新のＩＰアドレス（ＩＰアドレスＢ）と一致していない場合について説明する。
【００７０】
ステップＳ７０１，Ｓ７０２は、ステップＳ５０１，Ｓ５０２（図５参照）と同様であるため説明を省略する。ステップＳ７０２による比較の結果、受信したＩＰパケットの宛先のＩＰアドレスＡおよびこのＩＰパケットに格納されたＵＵＩＤの組合せと、組合せ情報１３２と、が一致しなかったとする。
【００７１】
つぎに、屋内基地局１３０が、移動端末１４０のＩＭＳＩを用いてページングを行うことで、移動端末１４０との間の通信経路を確立する（ステップＳ７０３）。つぎに、屋内基地局１３０が、ステップＳ７０２によって受信したＩＰパケットに格納されたＵＵＩＤに対応する移動端末１４０に対して、移動端末１４０のＩＰアドレスＢをＰＣ１２０へ報知すべき旨の報知指示を移動端末１４０へ送信する（ステップＳ７０４）。
【００７２】
つぎに、移動端末１４０が、ステップＳ７０２によって送信された報知指示にしたがって、自装置に割り当てられている最新のＩＰアドレスＢをＰＣ１２０へ報知する（ステップＳ７０５）。ＰＣ１２０は、ステップＳ７０５によって報知されたＩＰアドレスＢを移動端末１４０の宛先として記憶し直す。
【００７３】
つぎに、ＰＣ１２０が、ステップＳ７０５によって報知されたＩＰアドレスＢを宛先とするＩＰパケットをＵＤＰにより送信する（ステップＳ７０６）。ステップＳ７０６によって送信されたＩＰパケットは、屋内基地局１３０によって受信される。つぎに、屋内基地局１３０が、ステップＳ７０６によって受信したＩＰパケットをＵＤＰにより移動端末１４０へ送信し（ステップＳ７０７）、一連の伝送動作を終了する。
【００７４】
このように、ステップＳ７０２による比較の結果、各組合せが一致しなかった場合に、移動端末１４０のＩＰアドレスＢをＰＣ１２０へ報知すべき旨の報知指示を移動端末１４０へ送信する。これにより、ＰＣ１２０は、移動端末１４０の最新のＩＰアドレスを取得するとともに、取得したＩＰアドレスによってＩＰパケットを再送することができる。
【００７５】
ＰＣ１２０は、移動端末１４０へＩＰパケットを送信し、ＩＰアドレスが誤っていた場合に自動的に最新のＩＰアドレスを取得することができる。このため、ＰＣ１２０によって移動端末１４０の最新のＩＰアドレスを常に監視する場合と比べて、ＰＣ１２０の処理負担およびＰＣ１２０と屋内基地局１３０の間の通信量を低減することができる。
【００７６】
図８は、実施の形態１にかかる通信システムの伝送動作（ＵＤＰ、アドレス不一致）の例３を示すシーケンス図である。図８においては、ＰＣ１２０が移動端末１４０の宛先として記憶していたＩＰアドレス（ＩＰアドレスＡ）が、移動端末１４０の最新のＩＰアドレス（ＩＰアドレスＢ）と一致していない場合について説明する。
【００７７】
ステップＳ８０１，Ｓ８０２は、ステップＳ５０１，Ｓ５０２（図５参照）と同様であるため説明を省略する。ステップＳ８０２による比較の結果、各組合せが一致しなかったとする。つぎに、屋内基地局１３０が、移動端末１４０のＩＭＳＩを用いてページングを行うことで、移動端末１４０との間の通信経路を確立する（ステップＳ８０３）。
【００７８】
つぎに、屋内基地局１３０が、組合せ情報１３２において、ステップＳ８０１によって受信したＩＰパケットに格納されたＵＵＩＤと組み合わされているＩＰアドレスＢとなるように、受信したＩＰパケットの宛先アドレスを変換する（ステップＳ８０４）。つぎに、屋内基地局１３０が、ステップＳ８０４によって宛先アドレスを変換したＩＰパケットを移動端末１４０へ送信し（ステップＳ８０５）、一連の伝送動作を終了する。
【００７９】
このように、ステップＳ８０２による比較の結果、各組合せが一致しなかった場合に、組合せ情報１３２において、受信したＩＰパケットに格納されたＵＵＩＤと組み合わされているＩＰアドレスとなるようにＩＰパケットの宛先を変換する。そして、宛先を変換したＩＰパケットを移動端末１４０へ送信する。
【００８０】
これにより、移動端末１４０を宛先としてＰＣ１２０から送信されたＩＰパケットのＩＰアドレスが誤っていても、ＰＣ１２０を経由することなく、ＩＰパケットを移動端末１４０へ転送することができる。このため、ＰＣ１２０の処理負担およびＰＣ１２０と屋内基地局１３０の間の通信量を低減するとともに、宛先アドレスが誤ったＩＰパケットを移動端末１４０へ高速に転送することができる。
【００８１】
このように、実施の形態１にかかる屋内基地局１３０によれば、監視した移動端末１４０のＩＰアドレスと移動端末１４０のＵＵＩＤとの組合せ情報１３２を記憶しておき、ＰＣ１２０から送信されたＩＰパケットの宛先アドレスとＩＰパケットに格納されたＵＵＩＤとの組合せを組合せ情報１３２と比較することで、ＩＰパケットの宛先アドレスの誤りを検出することができる。
【００８２】
また、ＩＰパケットの宛先アドレスの誤りを検出した場合は、ＩＰパケットに格納されたＵＵＩＤと組合せ情報１３２によって、移動端末１４０の最新のＩＰアドレスを特定することができる。このため、移動端末１４０に割り当てられるＩＰアドレスが変更され、変更後のＩＰアドレスをＰＣ１２０が常に取得していなくても、ＰＣ１２０から送信されたＩＰパケットを移動端末１４０へ伝送することができる。
【００８３】
移動端末１４０に割り当てられるＩＰアドレスが変更されてもＰＣ１２０から移動端末１４０へのＩＰパケットの伝送が可能であるため、ＢＢルータ１１０、ＰＣ１２０および屋内基地局１３０によって構成されるＵＰｎＰネットワークに対する移動端末１４０の接続および離脱を任意に行うことができる。このため、ＵＰｎＰネットワークに対する移動端末１４０のプラグアンドプレイを容易に実現することができる。
【００８４】
また、移動体通信網１０２側の通信装置やＰＣ１２０に特に機能を追加しなくても、移動端末１４０に割り当てられるＩＰアドレスが変更された場合にＰＣ１２０から移動端末１４０へＩＰパケットを伝送することができる。このため、ＰＣ１２０と移動端末１４０との通信や移動端末１４０のプラグアンドプレイを低コストで実現することができる。
【００８５】
なお、ここでは、組合せ情報１３２においてＩＰアドレスと組み合わせる移動端末１４０の識別情報として移動端末１４０のＵＵＩＤを用いたが、移動端末１４０の識別情報はＵＵＩＤに限らない。たとえば、移動端末１４０の識別情報として移動端末１４０のＩＭＳＩや、ＵＵＩＤおよびＩＭＳＩの組合せを用いてもよい（実施の形態２，３も同様）。また、識別情報としてＵＵＩＤを用いる場合は、ＵＵＩＤのうちの、Ｎｏｄｅ領域など、時間経過などによる影響を受けない情報を識別情報として用いるとよい。
【００８６】
（実施の形態２）
実施の形態２にかかる通信システム１００の機能的構成および事前動作、屋内基地局１３０の機能的構成については、実施の形態１と同様であるため説明を省略する。実施の形態１においてはＰＣ１２０と移動端末１４０との間でＵＤＰを利用してＩＰパケットを伝送する場合について説明したが、実施の形態２においてはＰＣ１２０と移動端末１４０との間でＴＣＰ（Ｔｒａｎｓｍｉｓｓｉｏｎ  Ｃｏｎｔｒｏｌ  Ｐｒｏｔｏｃｏｌ）を利用してＩＰパケットを伝送する場合について説明する。
【００８７】
図９は、実施の形態２にかかる通信システムの伝送動作（ＴＣＰ、アドレス一致）の一例を示すシーケンス図である。図９においては、ＰＣ１２０が移動端末１４０の宛先として記憶していたＩＰアドレス（ＩＰアドレスＡ）が、移動端末１４０の最新のＩＰアドレス（ＩＰアドレスＡ）と一致している場合について説明する。
【００８８】
また、移動端末１４０は待ち受け状態であるとする。図４に示した事前動作の後、ＰＣ１２０が、移動端末１４０のＩＰアドレスとして記憶していたＩＰアドレスＡを宛先とするＩＰパケット（ＳＹＮメッセージ）をＴＣＰにより送信する（ステップＳ９０１）。
【００８９】
ステップＳ９０１によって送信されるＳＹＮメッセージは、ＴＣＰのハンドシェーク処理のための通信経路確立要求である（以下のＳＹＮメッセージも同様）。屋内基地局１３０は、ステップＳ９０１によって送信されたＩＰパケットを受信する。ステップＳ９０１によって送信されたＩＰパケットには、移動端末１４０のＵＵＩＤは格納されていない。
【００９０】
つぎに、屋内基地局１３０が、ステップＳ９０１によって受信したＩＰパケットの宛先アドレスが組合せ情報１３２に存在するか否かをチェックする（ステップＳ９０２）。ここでは、ＩＰパケットの宛先アドレスが組合せ情報１３２に存在したとする。つぎに、組合せ情報１３２において、ステップＳ９０１によって受信したＩＰパケットの宛先アドレスと組み合わされているＩＭＳＩを取得する（ステップＳ９０３）。
【００９１】
つぎに、屋内基地局１３０が、ステップＳ９０３によって取得したＩＭＳＩを用いてページングを行うことで、移動端末１４０との間の通信経路を確立する（ステップＳ９０４）。つぎに、屋内基地局１３０が、ステップＳ９０１によって受信したＩＰパケット（ＳＹＮメッセージ）をＴＣＰにより移動端末１４０へ送信する（ステップＳ９０５）。
【００９２】
つぎに、移動端末１４０とＰＣ１２０がＴＣＰコネクションを確立する（ステップＳ９０６）。つぎに、ＰＣ１２０が、移動端末１４０のＩＰアドレスとして記憶していたＩＰアドレスＡを宛先とするＩＰパケットを送信する（ステップＳ９０７）。屋内基地局１３０は、ステップＳ９０７によって送信されたＩＰパケットを受信する。ステップＳ９０７によって送信されたＩＰパケットには移動端末１４０のＵＵＩＤが格納されている。
【００９３】
つぎに、屋内基地局１３０が、ステップＳ９０７によって受信したＩＰパケットの宛先のＩＰアドレスＡおよびこのＩＰパケットに格納されたＵＵＩＤの組合せと、組合せ情報１３２と、を比較する（ステップＳ９０８）。ここでは、各組合せが一致したとする。つぎに、屋内基地局１３０が、ステップＳ９０７によって受信したＩＰパケットを移動端末１４０へ送信し（ステップＳ９０９）、一連の伝送動作を終了する。
【００９４】
なお、ステップＳ９０２において、ＩＰパケットの宛先アドレスが組合せ情報１３２に存在しなかった場合は、ステップＳ９０３においてＩＭＳＩを取得できないため、屋内基地局１３０からＰＣ１２０へエラーメッセージを送信して伝送動作を中止する。
【００９５】
図１０は、実施の形態２にかかる通信システムの伝送動作（ＴＣＰ、ＵＵＩＤなし）の一例を示すシーケンス図である。図１０においては、ＰＣ１２０が移動端末１４０の宛先として記憶していたＩＰアドレス（ＩＰアドレスＡ）が、移動端末１４０の最新のＩＰアドレス（ＩＰアドレスＢ）と一致していない場合について説明する。
【００９６】
ステップＳ１００１〜Ｓ１００８は、ステップＳ９０１〜Ｓ９０８（図９参照）と同様であるため説明を省略する。ステップＳ１００８において、ステップＳ１００７により受信したＩＰパケットに格納されたＵＵＩＤが組合せ情報１３２に存在しなかったとする。つぎに、屋内基地局１３０が、ＩＰアドレスＡの移動端末１４０がＵＰｎＰネットワークに存在しないことを示すイベント通知をＰＣ１２０へ送信する（ステップＳ１００９）。
【００９７】
つぎに、屋内基地局１３０が、ステップＳ１００６によって移動端末（すなわち移動端末１４０とは異なる移動端末）との間で確立したＴＣＰコネクションを削除する（ステップＳ１０１０）。つぎに、屋内基地局１３０が、ステップＳ１００４によって移動端末１４０との間に確立した通信経路を削除する（ステップＳ１０１１）。つぎに、移動端末１４０が待ち受け状態へ遷移し（ステップＳ１０１２）、一連の伝送動作を終了する。
【００９８】
図１１は、実施の形態２にかかる通信システムの伝送動作（ＴＣＰ、アドレス不一致）の例１を示すシーケンス図である。図１１においては、ＰＣ１２０が移動端末１４０の宛先として記憶していたＩＰアドレス（ＩＰアドレスＡ）が、移動端末１４０の最新のＩＰアドレス（ＩＰアドレスＢ）と一致していない場合について説明する。
【００９９】
ステップＳ１１０１〜Ｓ１１０８は、ステップＳ９０１〜Ｓ９０８（図９参照）と同様であるため説明を省略する。ステップＳ１１０８による比較の結果、各組合せが一致しなかったとする。この場合は、ステップＳ１１０６でＰＣ１２０がＴＣＰコネクションを確立した移動端末は、移動端末１４０とは異なる移動端末であったことになる。つぎに、ＰＣ１２０が、ステップＳ１１０６によって移動端末（移動端末１４０とは異なる移動端末）との間で確立したＴＣＰコネクションを削除する（ステップＳ１１０９）。
【０１００】
つぎに、屋内基地局１３０が、組合せ情報１３２において、ステップＳ１１０７によって受信したＩＰパケットの宛先アドレスと組み合わされているＩＭＳＩを用いてページングを行うことで、移動端末１４０との間の通信経路を確立する（ステップＳ１１１０）。つぎに、屋内基地局１３０が、組合せ情報１３２において、ステップＳ１１０７によって受信したＩＰパケットに格納されたＵＵＩＤと組み合わされているＩＰアドレスＢを新アドレスとしてＰＣ１２０へ報知する（ステップＳ１１１１）。
【０１０１】
つぎに、ＰＣ１２０が、ステップＳ１１１１によって報知されたＩＰアドレスＢを宛先とするＩＰパケット（ＳＹＮメッセージ）をＴＣＰにより送信する（ステップＳ１１１２）。屋内基地局１３０は、ステップＳ１１１２によって送信されたＩＰパケットを受信する。つぎに、屋内基地局１３０が、ステップＳ１１１２によって受信したＩＰパケット（ＳＹＮメッセージ）をＴＣＰにより移動端末１４０へ送信する（ステップＳ１１１３）。
【０１０２】
つぎに、移動端末１４０とＰＣ１２０がＴＣＰコネクションを確立する（ステップＳ１１１４）。つぎに、ＰＣ１２０が、ステップＳ１１１１によって報知されたＩＰアドレスＢを宛先とするＩＰパケットをＴＣＰにより送信する（ステップＳ１１１５）。屋内基地局１３０は、ステップＳ１１１５によって送信されたＩＰパケットを受信する。つぎに、屋内基地局１３０が、ステップＳ１１１５によって受信したＩＰパケットをＴＣＰにより移動端末１４０へ送信し（ステップＳ１１１６）、一連の伝送動作を終了する。
【０１０３】
このように、ＴＣＰ通信においては、データを格納したＩＰパケットを送信する前にＳＹＮメッセージを送信するため、ステップＳ１１０１によって受信したＩＰパケット（ＳＹＮメッセージ）には移動端末１４０にＵＵＩＤを格納することができない。これに対して、屋内基地局１３０は、ステップＳ１１０１によって受信したＩＰパケットの宛先アドレスが正しいか否かを判断せずに、その宛先アドレスにＩＰパケット（ＳＹＮメッセージ）を転送し、その移動端末とＰＣ１２０との間にＴＣＰコネクションを確立させる。
【０１０４】
これにより、ステップＳ１１０７に示すように、移動端末１４０のＵＵＩＤを格納したＩＰパケットをＰＣ１２０から送信させることができる。そして、ステップＳ１１０８による比較の結果、各組合せが一致しなかった場合に、誤った移動端末とのＴＣＰコネクションを削除し、移動端末１４０とＰＣ１２０との間にＴＣＰコネクションを確立させる。
【０１０５】
これにより、ＴＣＰ通信においても、図６に示した伝送動作と同様に、ＰＣ１２０は、移動端末１４０へＩＰパケットを送信し、ＩＰアドレスが誤っていた場合に自動的に最新のＩＰアドレスを取得することができる。このため、ＰＣ１２０によって移動端末１４０の最新のＩＰアドレスを常に監視する場合と比べて、ＰＣ１２０の処理負担およびＰＣ１２０と屋内基地局１３０の間の通信量を低減することができる。
【０１０６】
図１２は、実施の形態２にかかる通信システムの伝送動作（ＴＣＰ、アドレス不一致）の例２を示すシーケンス図である。図１２においては、ＰＣ１２０が移動端末１４０の宛先として記憶していたＩＰアドレス（ＩＰアドレスＡ）が、移動端末１４０の最新のＩＰアドレス（ＩＰアドレスＢ）と一致していない場合について説明する。
【０１０７】
ステップＳ１２０１〜Ｓ１２０８は、ステップＳ９０１〜Ｓ９０８（図９参照）と同様であるため説明を省略する。ステップＳ１２０８による比較の結果、各組合せが一致しなかったとする。この場合は、ステップＳ１２０６でＰＣ１２０がＴＣＰコネクションを確立した移動端末は、移動端末１４０とは異なる移動端末であったことになる。
【０１０８】
つぎに、ＰＣ１２０が、ステップＳ１２０６で移動端末（移動端末１４０とは異なる移動端末）との間で確立したＴＣＰコネクションを削除する（ステップＳ１２０９）。つぎに、屋内基地局１３０が、組合せ情報１３２において、ステップＳ１２０７によって受信したＩＰパケットに格納されたＵＵＩＤと組み合わされているＩＭＳＩを用いてページングを行うことで、移動端末１４０との間の通信経路を確立する（ステップＳ１２１０）。
【０１０９】
つぎに、屋内基地局１３０が、移動端末１４０に割り当てられている最新のＩＰアドレスをＰＣ１２０へ報知すべき旨の報知指示を移動端末１４０へ送信する（ステップＳ１２１１）。つぎに、移動端末１４０が、移動端末１４０に割り当てられている最新のＩＰアドレスＢをＰＣ１２０へ報知する（ステップＳ１２１２）。つぎに、移動端末１４０とＰＣ１２０がＴＣＰコネクションを確立する（ステップＳ１２１３）。
【０１１０】
つぎに、ＰＣ１２０が、ステップＳ１２１２によって報知されたＩＰアドレスＢを宛先とするＩＰパケットをＴＣＰにより送信する（ステップＳ１２１４）。屋内基地局１３０は、ステップＳ１２１４によって送信されたＩＰパケットを受信する。つぎに、屋内基地局１３０が、ステップＳ１２１４によって受信したＩＰパケットをＴＣＰにより移動端末１４０へ送信し（ステップＳ１２１５）、一連の伝送動作を終了する。
【０１１１】
このように、ＴＣＰ通信においては、データを格納したＩＰパケットを送信する前にＳＹＮメッセージを送信するため、ステップＳ１２０１によって受信したＩＰパケット（ＳＹＮメッセージ）には移動端末１４０にＵＵＩＤを格納することができない。これに対して、屋内基地局１３０は、ステップＳ１２０１によって受信したＩＰパケットの宛先アドレスが正しいか否かを判断せずに、その宛先アドレスにＩＰパケット（ＳＹＮメッセージ）を転送し、その移動端末とＰＣ１２０との間にＴＣＰコネクションを確立させる。
【０１１２】
これにより、ステップＳ１２０７に示すように、移動端末１４０のＵＵＩＤを格納したＩＰパケットをＰＣ１２０から送信させることができる。そして、ステップＳ１２０８による比較の結果、各組合せが一致しなかった場合に、誤った移動端末とのＴＣＰコネクションを削除し、移動端末１４０とＰＣ１２０との間にＴＣＰコネクションを確立させる。
【０１１３】
これにより、ＴＣＰ通信においても、図７に示した伝送動作と同様に、ＰＣ１２０は、移動端末１４０へＩＰパケットを送信し、ＩＰアドレスが誤っていた場合に自動的に最新のＩＰアドレスを取得することができる。このため、ＰＣ１２０によって移動端末１４０の最新のＩＰアドレスを常に監視する場合と比べて、ＰＣ１２０の処理負担およびＰＣ１２０と屋内基地局１３０の間の通信量を低減することができる。
【０１１４】
図１３は、実施の形態２にかかる通信システムの伝送動作（ＴＣＰ、アドレス不一致）の例３を示すシーケンス図である。図１３においては、ＰＣ１２０が移動端末１４０の宛先として記憶していたＩＰアドレス（ＩＰアドレスＡ）が、移動端末１４０の最新のＩＰアドレス（ＩＰアドレスＢ）と一致していない場合について説明する。
【０１１５】
ステップＳ１３０１〜Ｓ１３０８は、ステップＳ９０１〜Ｓ９０８（図９参照）と同様であるため説明を省略する。ステップＳ１３０８による比較の結果、各組合せが一致しなかったとする。この場合は、ステップＳ１３０６でＰＣ１２０がＴＣＰコネクションを確立した移動端末は、移動端末１４０とは異なる移動端末であったことになる。
【０１１６】
つぎに、ＰＣ１２０が、ステップＳ１３０６で移動端末（移動端末１４０とは異なる移動端末）との間で確立したＴＣＰコネクションを削除する（ステップＳ１３０９）。つぎに、屋内基地局１３０が、組合せ情報１３２において、ステップＳ１３０７によって受信したＩＰパケットに格納されたＵＵＩＤと組み合わされているＩＭＳＩを用いてページングを行うことで、移動端末１４０との間の通信経路を確立する（ステップＳ１３１０）。
【０１１７】
つぎに、屋内基地局１３０が、組合せ情報１３２において、ＩＰアドレスＡを宛先とするＩＰパケットを受信した場合に、受信したＩＰパケットの宛先アドレスをＩＰアドレスＡからＩＰアドレスＢに変換するべき旨のアドレス変換設定を自装置に行う（ステップＳ１３１１）。つぎに、屋内基地局１３０が、ＰＣ１２０との間でＴＣＰコネクションを確立すべき旨のＴＣＰ確立指示を移動端末１４０へ送信する（ステップＳ１３１２）。
【０１１８】
つぎに、移動端末１４０が、ステップＳ１３１２によって受信したＴＣＰ確立指示に基づいてＰＣ１２０との間でＴＣＰコネクションを確立する（ステップＳ１３１３）。つぎに、ＰＣ１２０が、移動端末１４０のＩＰアドレスとして記憶していたＩＰアドレスＡを宛先とするＩＰパケットをＴＣＰにより送信する（ステップＳ１３１４）。屋内基地局１３０は、ステップＳ１３１４によって送信されたＩＰパケットを受信する。
【０１１９】
つぎに、屋内基地局１３０が、ステップＳ１３１１によって設定した変換設定に基づいて、ステップＳ１３１４によって受信したＩＰパケットの宛先アドレスをＩＰアドレスＡからＩＰアドレスＢに変換する（ステップＳ１３１５）。つぎに、屋内基地局１３０が、ステップＳ１３１５によって宛先アドレスを変換したＩＰパケットをＴＣＰにより移動端末１４０へ送信し（ステップＳ１３１６）、一連の伝送動作を終了する。
【０１２０】
このように、ＴＣＰ通信においては、データを格納したＩＰパケットを送信する前にＳＹＮメッセージを送信するため、ステップＳ１３０１によって受信したＩＰパケット（ＳＹＮメッセージ）には移動端末１４０にＵＵＩＤを格納することができない。これに対して、屋内基地局１３０は、ステップＳ１３０１によって受信したＩＰパケットの宛先アドレスが正しいか否かを判断せずに、その宛先アドレスにＩＰパケット（ＳＹＮメッセージ）を転送し、その移動端末とＰＣ１２０との間にＴＣＰコネクションを確立させる。
【０１２１】
これにより、ステップＳ１３０７に示すように、移動端末１４０のＵＵＩＤを格納したＩＰパケットをＰＣ１２０から送信させることができる。そして、ステップＳ１３０８による比較の結果、各組合せが一致しなかった場合に、誤った移動端末とのＴＣＰコネクションを削除し、移動端末１４０とＰＣ１２０との間にＴＣＰコネクションを確立させる。
【０１２２】
これにより、ＴＣＰ通信においても、図８に示した伝送動作と同様に、移動端末１４０を宛先としてＰＣ１２０から送信されたＩＰパケットのＩＰアドレスが誤っていても、ＰＣ１２０によるＩＰパケットの再送動作を行うことなく、ＩＰパケットを移動端末１４０へ転送することができる。
【０１２３】
このように、実施の形態２にかかる屋内基地局１３０によれば、ＴＣＰ通信においても、実施の形態１にかかる屋内基地局１３０と同様に、ＰＣ１２０から送信されたＩＰパケットの宛先アドレスとＩＰパケットに格納されたＵＵＩＤとの組合せを組合せ情報１３２と比較することで、ＩＰパケットの宛先アドレスの誤りを検出することができる。
【０１２４】
また、移動端末１４０に割り当てられるＩＰアドレスが変更され、変更後のＩＰアドレスをＰＣ１２０が常に取得していなくても、ＰＣ１２０から送信されたＩＰパケットを移動端末１４０へ伝送することができる。このため、ＵＰｎＰネットワークに対する移動端末１４０のプラグアンドプレイを容易に実現することができる。
【０１２５】
（実施の形態３）
実施の形態３にかかる通信システム１００の機能的構成および事前動作については、実施の形態２と同様であるため説明を省略する。実施の形態２においてはＰＣ１２０と移動端末１４０との間でＴＣＰを利用してＩＰパケットを伝送する場合について説明したが、実施の形態３においてはＰＣ１２０と移動端末１４０とのＴＣＰ接続を屋内基地局１３０によって終端する場合について説明する。
【０１２６】
図１４は、実施の形態３にかかる屋内基地局の機能的構成を示すブロック図である。図１４において、図２に示した構成と同様の構成については同一の符号を付して説明を省略する。図１４に示すように、実施の形態３にかかる屋内基地局１３０のデータ終端部２１３は、ＴＣＰ−ＧＷ部１４１１を備えている。ＴＣＰ−ＧＷ部１４１１は、ＰＣ１２０と移動端末１４０の間のＴＣＰ接続を終端する機能である。
【０１２７】
送受信部２１１によって移動端末（移動端末１４０とは限らない）に対するＰＣ１２０からのＩＰパケット（ＳＹＮメッセージ）が受信されると、ＴＣＰ−ＧＷ部１４１１は、受信されたＩＰパケット（ＳＹＮメッセージ）に基づいてＰＣ１２０とその移動端末の間のＴＣＰ接続を終端し、ＰＣ１２０との間にＴＣＰコネクションを確立する。データ終端部２１３は、ＴＣＰ−ＧＷ部１４１１によってＰＣ１２０とのＴＣＰコネクションが確立された結果、ＰＣ１２０から送信されたデータを受信する。
【０１２８】
図１５は、実施の形態３にかかる通信システムの伝送動作（ＴＣＰ）の一例を示すシーケンス図である。図１５においては、ＰＣ１２０が移動端末１４０の宛先として記憶していたＩＰアドレス（ＩＰアドレスＡ）が、移動端末１４０の最新のＩＰアドレス（ＩＰアドレスＢ）と一致していない場合について説明する。
【０１２９】
図４に示した事前動作の後、ＰＣ１２０が、移動端末１４０のＩＰアドレスとして記憶していたＩＰアドレスＡを宛先とするＩＰパケット（ＳＹＮメッセージ）をＴＣＰにより送信する（ステップＳ１５０１）。屋内基地局１３０は、ステップＳ１５０１によって送信されたＩＰパケットを受信する。ステップＳ１５０１によって送信されたＩＰパケットには、移動端末１４０のＵＵＩＤは格納されていない。
【０１３０】
つぎに、屋内基地局１３０は、ＰＣ１２０と移動端末１４０の間のＴＣＰ接続を終端し、ＰＣ１２０との間でＴＣＰコネクションを確立する（ステップＳ１５０２）。つぎに、ＰＣ１２０が、移動端末１４０のＩＰアドレスとして記憶していたＩＰアドレスＡを宛先とするＩＰパケットをＴＣＰにより送信する（ステップＳ１５０３）。屋内基地局１３０は、ステップＳ１５０３によって送信されたＩＰパケットを受信する。ステップＳ１５０３によって送信されるＩＰパケットには移動端末１４０のＵＵＩＤが格納されている。
【０１３１】
つぎに、屋内基地局１３０が、ステップＳ１５０３によって受信したＩＰパケットに格納されたＵＵＩＤが、組合せ情報１３２に存在するか否かをチェックする（ステップＳ１５０４）。ここでは、ＵＵＩＤが組合せ情報１３２に存在したとする。つぎに、屋内基地局１３０が、組合せ情報１３２において、ステップＳ１５０３で受信したＩＰパケットに格納されたＵＵＩＤと組み合わされているＩＭＳＩを取得する（ステップＳ１５０５）。
【０１３２】
つぎに、屋内基地局１３０が、ステップＳ１５０５によって取得したＩＭＳＩを用いてページングを行うことで、移動端末１４０との間の通信経路を確立する（ステップＳ１５０６）。つぎに、屋内基地局１３０が、移動端末１４０との間でＴＣＰコネクションを確立する（ステップＳ１５０７）。
【０１３３】
つぎに、屋内基地局１３０が、組合せ情報１３２において、ステップＳ１５０３によって受信したＩＰパケットに格納されたＵＵＩＤと組み合わされているＩＰアドレスＢとなるように、受信したＩＰパケットの宛先アドレスを変換する（ステップＳ１５０８）。つぎに、屋内基地局１３０が、ステップＳ１５０８によって宛先アドレスを変換したＩＰパケットを移動端末１４０へ送信し（ステップＳ１５０９）、一連の伝送動作を終了する。
【０１３４】
このように、屋内基地局１３０は、受信したＩＰパケット（ＳＹＮ）に基づいてＰＣ１２０と移動端末（移動端末１４０とは限らない）の間のＴＣＰ接続を終端し、ＰＣ１２０との間にＴＣＰコネクションを確立する。そして、各組合せが一致しなかった場合に、組合せ情報１３２において、受信したＩＰパケットに格納されたＵＵＩＤと組み合わされているＩＰアドレスとなるようにＩＰパケットの宛先を変換する。そして、宛先を変換したＩＰパケットを移動端末１４０へ送信する。
【０１３５】
これにより、ＴＣＰ通信においても、移動端末１４０を宛先としてＰＣ１２０から送信されたＩＰパケットのＩＰアドレスが誤っていても、ＰＣ１２０を経由することなく、ＩＰパケットを移動端末１４０へ転送することができる。このため、ＰＣ１２０の処理負担およびＰＣ１２０と屋内基地局１３０の間の通信量を低減するとともに、宛先アドレスが誤ったＩＰパケットを移動端末１４０へ高速に転送することができる。
【０１３６】
このように、実施の形態３にかかる屋内基地局１３０によれば、受信したＩＰパケット（ＳＹＮ）に基づいてＰＣ１２０と移動端末（移動端末１４０とは限らない）の間のＴＣＰ接続を終端し、ＩＰパケット（ＳＹＮ）の宛先アドレスが正しいか否かにかかわらずＰＣとの間にＴＣＰコネクションを確立する。これにより、移動端末１４０のＵＵＩＤが格納されたＩＰパケットをＰＣ１２０から送信させることができる。
【０１３７】
そして、監視した移動端末１４０のＩＰアドレスと移動端末１４０のＵＵＩＤとの組合せ情報１３２を記憶しておき、ＰＣ１２０から送信されたＩＰパケットの宛先アドレスとＩＰパケットに格納されたＵＵＩＤとの組合せを組合せ情報１３２と比較することで、ＩＰパケットの宛先アドレスの誤りを検出することができる。
【０１３８】
また、ＩＰパケットの宛先アドレスが誤っていても、ＩＰパケットに格納されたＵＵＩＤと組合せ情報１３２によって宛先アドレスを最新のＩＰアドレスに変換し、宛先アドレスを変換したＩＰパケットを移動端末１４０へ送信することができる。このため、移動端末１４０に割り当てられるＩＰアドレスが変更され、変更後のＩＰアドレスをＰＣ１２０が常に取得していなくても、ＰＣ１２０から送信されたＩＰパケットを移動端末１４０へ転送することができる。
【０１３９】
移動端末１４０に割り当てられるＩＰアドレスが変更されてもＰＣ１２０から移動端末１４０へのＩＰパケットの伝送が可能であるため、ＢＢルータ１１０、ＰＣ１２０および屋内基地局１３０によって構成されるＵＰｎＰネットワークに対する移動端末１４０の接続および離脱を任意に行うことができる。このため、ＵＰｎＰネットワークに対する移動端末１４０のプラグアンドプレイを容易に実現することができる。
【０１４０】
図１６は、移動端末が通信エリアから離脱するときの通信システムの動作の一例を示すシーケンス図である。まず、上述した実施の形態１〜３において、移動端末１４０が通信エリア１３１から離脱したとする（ステップＳ１６０１）。屋内基地局１３０は、移動端末１４０が通信エリア１３１から離脱したことを検出すると、移動端末１４０がＵＰｎＰネットワークに接続されていた移動端末か否かを確認する（ステップＳ１６０２）。
【０１４１】
ここでは、移動端末１４０はＵＰｎＰネットワークに接続されていた移動端末であるため、屋内基地局１３０が、移動端末１４０が通信エリア１３１から離脱したことを、ＵＰｎＰネットワークを構成するＢＢルータ１１０、ＰＣ１２０および屋内基地局１３０に対してＩＰパケットにより報知する（ステップＳ１６０３）。
【０１４２】
ステップＳ１６０３による報知は、たとえばＧＥＮＡを用いて行われる。つぎに、屋内基地局１３０が、移動端末１４０のＵＰｎＰ関連情報（ＵＵＩＤやＩＭＳＩなど）を記憶部２１４に記憶する（ステップＳ１６０４）。また、ＰＣ１２０が、移動端末１４０の管理情報（ＩＰアドレスなど）を削除し（ステップＳ１６０５）、一連の動作を終了する。
【０１４３】
屋内基地局１３０は、移動端末１４０が通信エリア１３１へ再度進入すると、ステップＳ１６０４によって記憶した移動端末１４０のＵＰｎＰ関連情報を用いて、移動端末１４０に対するＵＰｎＰ接続を行う。
【０１４４】
以上説明したように、開示の基地局およびデータ転送方法によれば、移動端末（移動端末１４０）に割り当てられたアドレスが変更されても、構内網（ＬＡＮ１０１）の通信端末（ＰＣ１２０）から移動端末宛に送信されたデータ（ＩＰパケット）の宛先アドレスの誤りを検出することができる。これにより、移動端末に割り当てられる宛先アドレスが変更されても、通信端末から送信されたデータを移動端末へ伝送することが可能になる。このため、ＵＰｎＰネットワークに対する移動端末のプラグアンドプレイを容易に実現することができる。
【０１４５】
なお、上述した各実施の形態においては、ＬＡＮ１０１内の通信機能を備える通信端末としてＰＣ１２０を例示して説明したが、ＬＡＮ１０１内の通信端末はＰＣ１２０に限らず、通信機能を備える家電機器など、ＬＡＮ１０１における通信機能を備える電算機器であればなんでもよい。上述した実施の形態に関し、さらに以下の付記を開示する。
【０１４６】
（付記１）自装置を含む構内網を介して移動体通信網と通信可能な通信エリアを形成する基地局において、
前記移動体通信網とデータ通信を行うために前記移動体通信網から前記通信エリア内の移動端末に割り当てられるアドレスを監視する監視手段と、
前記移動端末の識別情報と、前記監視手段によって監視されるアドレスと、の組合せを示す組合せ情報を記憶する記憶手段と、
前記識別情報を含むデータを前記構内網内の通信端末から受信する受信手段と、
前記受信手段によって受信されたデータに含まれる識別情報と前記データの宛先アドレスとの組合せを、前記記憶手段によって記憶された組合せ情報と比較する比較手段と、
前記比較手段による比較において組合せが一致した場合に、前記受信手段によって受信されたデータを前記移動端末へ送信するとともに、前記比較において組合せが一致しなかった場合にエラー処理を行う送信手段と、
を備えることを特徴とする基地局。
【０１４７】
（付記２）前記送信手段は、前記エラー処理として、前記受信されたデータの宛先アドレスは無効である旨を前記通信端末へ報知することを特徴とする付記１に記載の基地局。
【０１４８】
（付記３）前記送信手段は、前記エラー処理として、前記組合せ情報において、前記受信されたデータに含まれる識別情報と組み合わされているアドレスを新アドレスとして前記通信端末へ報知することを特徴とする付記１に記載の基地局。
【０１４９】
（付記４）前記受信手段は、前記送信手段によって前記通信端末へ報知した新アドレスを宛先として前記通信端末から送信されたデータを受信し、
前記送信手段は、前記受信手段によって受信された前記新アドレスを宛先とするデータを前記移動端末へ送信することを特徴とする付記３に記載の基地局。
【０１５０】
（付記５）前記送信手段は、前記エラー処理として、前記組合せ情報において、前記受信されたデータに含まれる識別情報と組み合わされているアドレスを新アドレスとして前記通信端末へ報知すべき旨の報知指示を前記移動端末へ送信することを特徴とする付記１に記載の基地局。
【０１５１】
（付記６）前記受信手段は、前記送信手段によって報知指示を送信した結果、前記移動端末から前記通信端末へ報知された前記新アドレスを宛先として前記通信端末から送信されたデータを受信し、
前記送信手段は、前記受信手段によって受信された前記新アドレスを宛先とするデータを前記移動端末へ送信することを特徴とする付記５に記載の基地局。
【０１５２】
（付記７）前記比較手段による比較において組合せが一致しなかった場合に、前記組合せ情報において、前記受信されたデータに含まれる識別情報と組み合わされているアドレスとなるように前記データの宛先を変換する変換手段を備え、
前記送信手段は、前記エラー処理として、前記変換手段によって宛先を変換されたデータを前記移動端末へ送信することを特徴とする付記１に記載の基地局。
【０１５３】
（付記８）前記データを受信する前に、移動端末に対する前記通信端末からの通信経路確立要求を受信する要求受信手段と、
前記要求受信手段によって受信された通信経路確立要求の宛先の移動端末と前記通信端末との間にＴＣＰコネクションを確立させる経路確立手段と、を備え、
前記受信手段は、前記経路確立手段によってＴＣＰコネクションが確立された結果前記通信端末から送信されたデータを受信することを特徴とする付記１に記載の基地局。
【０１５４】
（付記９）前記経路確立手段は、前記比較手段による比較において組合せが一致しなかった場合に、前記ＴＣＰコネクションを削除し、前記受信手段によって受信されたデータに含まれる識別情報と組み合わされたアドレスを有する移動端末と前記通信端末との間にＴＣＰコネクションを確立させることを特徴とする付記８に記載の基地局。
【０１５５】
（付記１０）前記データを受信する前に、移動端末に対する前記通信端末からの通信経路確立要求を受信する要求受信手段と、
前記要求受信手段によって受信された通信経路確立要求に基づいて前記通信端末と前記移動端末の間のＴＣＰ接続を終端し、前記通信端末との間にＴＣＰコネクションを確立する終端手段と、を備え、
前記受信手段は、前記終端手段によってＴＣＰコネクションが確立された結果前記通信端末から送信されたデータを受信することを特徴とする付記１に記載の基地局。
【０１５６】
（付記１１）前記比較手段による比較において組合せが一致しなかった場合に、前記組合せ情報において、前記受信されたデータに含まれる識別情報と組み合わされているアドレスとなるように前記データの宛先を変換する変換手段を備え、
前記送信手段は、前記エラー処理として、前記変換手段によって宛先を変換されたデータを前記移動端末へ送信することを特徴とする付記１０に記載の基地局。
【０１５７】
（付記１２）自装置を含む構内網を介して移動体通信網と通信可能な通信エリアを形成する基地局のデータ転送方法において、
前記移動体通信網とデータ通信を行うために前記移動体通信網から前記通信エリア内の移動端末に割り当てられるアドレスを監視する監視工程と、
前記移動端末の識別情報と、前記監視工程によって監視されるアドレスと、の組合せを示す組合せ情報を記憶する記憶工程と、
前記識別情報が含まれるデータを前記構内網内の通信端末から受信する受信工程と、
前記受信工程によって受信されたデータに含まれる識別情報と前記データの宛先アドレスとの組合せを、前記記憶工程によって記憶された組合せ情報と比較する比較工程と、
前記比較工程による比較において組合せが一致した場合に、前記受信工程によって受信されたデータを前記移動端末へ送信するとともに、前記比較において組合せが一致しなかった場合にエラー処理を行う送信工程と、
を含むことを特徴とするデータ転送方法。
【図面の簡単な説明】
【０１５８】
【図１】実施の形態１にかかる通信システムの機能的構成を示すブロック図である。
【図２】図１に示した屋内基地局の機能的構成を示すブロック図である。
【図３】図２に示した組合せ情報の一例を示す図である。
【図４】実施の形態１にかかる通信システムの事前動作を示すシーケンス図である。
【図５】実施の形態１にかかる通信システムの伝送動作（ＵＤＰ、アドレス一致）の一例を示すシーケンス図である。
【図６】実施の形態１にかかる通信システムの伝送動作（ＵＤＰ、アドレス不一致）の例１を示すシーケンス図である。
【図７】実施の形態１にかかる通信システムの伝送動作（ＵＤＰ、アドレス不一致）の例２を示すシーケンス図である。
【図８】実施の形態１にかかる通信システムの伝送動作（ＵＤＰ、アドレス不一致）の例３を示すシーケンス図である。
【図９】実施の形態２にかかる通信システムの伝送動作（ＴＣＰ、アドレス一致）の一例を示すシーケンス図である。
【図１０】実施の形態２にかかる通信システムの伝送動作（ＴＣＰ、ＵＵＩＤなし）の一例を示すシーケンス図である。
【図１１】実施の形態２にかかる通信システムの伝送動作（ＴＣＰ、アドレス不一致）の例１を示すシーケンス図である。
【図１２】実施の形態２にかかる通信システムの伝送動作（ＴＣＰ、アドレス不一致）の例２を示すシーケンス図である。
【図１３】実施の形態２にかかる通信システムの伝送動作（ＴＣＰ、アドレス不一致）の例３を示すシーケンス図である。
【図１４】実施の形態３にかかる屋内基地局の機能的構成を示すブロック図である。
【図１５】実施の形態３にかかる通信システムの伝送動作（ＴＣＰ）の一例を示すシーケンス図である。
【図１６】移動端末が通信エリアから離脱するときの通信システムの動作の一例を示すシーケンス図である。
【符号の説明】
【０１５９】
１００  通信システム
１０１  ＬＡＮ
１０２  移動体通信網
１１０  ＢＢルータ
１２０  ＰＣ
１３０  屋内基地局
１３１  通信エリア
１３２  組合せ情報
１４０  移動端末
２１１  送受信部
２１２  移動端末制御部
２１３  データ終端部
２１４  記憶部
２１５  比較部
１４１１  ＴＣＰ−ＧＷ部
【図１】
2010041585.tif 000003
【図２】
2010041585.tif 000004
【図３】
2010041585.tif 000005
【図４】
2010041585.tif 000006
【図５】
2010041585.tif 000007
【図６】
2010041585.tif 000008
【図７】
2010041585.tif 000009
【図８】
2010041585.tif 000010
【図９】
2010041585.tif 000011
【図１０】
2010041585.tif 000012
【図１１】
2010041585.tif 000013
【図１２】
2010041585.tif 000014
【図１３】
2010041585.tif 000015
【図１４】
2010041585.tif 000016
【図１５】
2010041585.tif 000017
【図１６】
2010041585.tif 000018